(57)【要約】【課題】商品販売における決済処理を非接触型カードにより行う自動販売機において、決済が完了する前にカードが不正に抜取されないようにする。【解決手段】非接触型のＩＣカードＣに対する読み書き手段６が底面部に設置されているカード挿入部３の前面を、カード挿入部３にＩＣカードＣが挿入されると上進して閉じ、販売動作と決済処理が完了したときに上昇して開放するシャッタ５を設け、カード挿入部３に挿入されたＩＣカードＣが販売動作・決済処理中に抜取されないようにした。【選択図】　　　　図１
2004102361.tif 000002
【特許請求の範囲】
【請求項１】
商品販売における決済処理が非接触型カードにより行われる自動販売機において、不正抜取防止手段を備えたカード挿入部と、カード挿入部に挿入されているカードに対する読み書き手段と、を備えたことを特徴とする自動販売機。
【請求項２】
不正抜取防止手段が、カード挿入部前面に設けられたシャッタ機構からなることを特徴とする請求項１記載の自動販売機。
【請求項３】
カード挿入部と連通可能にカード挿入口とカード返却口とが前面パネルに設けられ、カード挿入口とカード挿入部との間と、カード挿入部とカード返却口との間に不正抜取防止手段としてシャッタ機構が設けられたことを特徴とする請求項１記載の自動販売機。
【請求項４】
商品販売における決済処理が接触型カードと非接触型カードの両方で行われる自動販売機において、共通のカード挿入口を備え、カード挿入口から搬送されたカードを認識して所要のカード挿入部まで搬送すると共に、カード挿入口に返却搬送するためのカード搬送手段と、カード挿入部に挿入されている接触型カードに対する読み書き手段と、カード挿入部に挿入されている非接触型カードに対する読み書き手段と、を備えたことを特徴とする自動販売機。
【発明の詳細な説明】
【０００１】
【発明の属する技術分野】
この発明は、主に非接触型カードを決済手段として用いる自動販売機に関する。
【０００２】
【従来の技術】
自動販売機における商品販売の決済手段としては、硬貨や紙幣を用いるものが一般的である。しかし、店頭などで貨幣を支払うことにより、残高を増やすことができる非接触型のＩＣカードが、コンビニエンスストアなどにおける小額決済手段として普及してきており、顧客の利便性を考慮すると、この非接触型のＩＣカードを利用して商品の購入ができる自動販売機を提供する必要がある。
【０００３】
そのため、カードが所定距離内に接近すると、そのカードの金額情報によって販売可能な商品の表示を示すランプを点灯し、商品選択スイッチが操作されたときカード金額から選択商品の金額を減算し、減算結果が負でないときに限って商品の排出とカード金額を減算結果に書き換えるようにした自動販売機がある（例えば、特許文献１参照。）。
【０００４】
【特許文献１】
特許第３２９６５７５号（第２ページ、段落［０００６］）
【０００５】
【発明が解決しようとする課題】
しかし、特許第３２９６５７５号の自動販売機においては、選択した商品が売り切れていたり、商品を販売口まで搬送する際にトラブルが生じるなどして実際に商品を搬出することができなかったときにも、カードの残高は減額されたままであり、顧客にとって不利益となることがあった。
【０００６】
そのような不都合が生じないように、商品の搬出動作を先にし、決済処理を後に行うことも考えられるが、そのような処理フローでは決済処理が行われず、商品をただ取りされる危険があるので、決算処理が正常に行える自動販売機を提供する必要があり、その解決が課題となっていた。
【０００７】
【課題を解決するための手段】
本発明は、上記従来技術の課題を解決するため、商品販売における決済処理が非接触型カードにより行われる自動販売機において、不正抜取防止手段を備えたカード挿入部と、カード挿入部に挿入されているカードに対する読み書き手段と、を備えるようにした第１の構成の自動販売機と、
【０００８】
前記第１の構成の自動販売機において、不正抜取防止手段を、カード挿入部前面に設けたシャッタ機構から構成するようにした第２の構成の自動販売機と、
【０００９】
前記第１の構成の自動販売機において、カード挿入部と連通可能にカード挿入口とカード返却口とを前面パネルに設け、カード挿入口とカード挿入部との間と、カード挿入部とカード返却口との間に不正抜取防止手段としてシャッタ機構を設けるようにした第３の構成の自動販売機と、
【００１０】
商品販売における決済処理が接触型カードと非接触型カードの両方で行われる自動販売機において、共通のカード挿入口を備え、カード挿入口から搬送されたカードを認識して所要のカード挿入部まで搬送すると共に、カード挿入口に返却搬送するためのカード搬送手段と、カード挿入部に挿入されている接触型カードに対する読み書き手段と、カード挿入部に挿入されている非接触型カードに対する読み書き手段と、を備えるようにした第４の構成の自動販売機と、
を提供するものである。
【００１１】
【発明の実施の形態】
以下、本発明の実施形態を図１〜図５に基づいて詳細に説明する。
本発明の自動販売機１００においては、前面パネル１の不透明に設けられた右側部分１Ａに紙幣投入口２Ａ、硬貨投入口２Ｂ、カード挿入部３が設けられ、紙幣投入口２Ａ、硬貨投入口２Ｂの何れかに正規の貨幣が投入されるか、カード挿入部３に正規の非接触型のＩＣカードＣが挿入されると、投入された金額もしくはＩＣカードＣの残高が液晶などからなる表示部４に表示されるように構成されている（貨幣の真偽、カードの真偽を検出する機構は別途設置される）。
【００１２】
カード挿入部３の前面は、例えば上下動するシャッタ５により開閉可能に設けられている。シャッタ５は、カード挿入部３にＩＣカードＣが挿入されると自動的に閉じて不正な抜取を防止し、販売動作が終了したときに上昇してカード挿入部３の前面を開放し、ＩＣカードＣの返却が行えるように構成されている。
【００１３】
すなわち、カード挿入部３の例えば底面部には、ＩＣカードＣに対するリーダライター、すなわち読み書き手段６が設置されている。読み書き手段６は、非接触型のＩＣカードＣの電源を立ち上げるための電磁波を常時発生し、ＩＣカードＣにおける情報の読み出しと書き込みとを行うものである。
【００１４】
そして、ＩＣカードＣの電源が立ち上がると、ＩＣカードＣの図示しない制御部と、自動販売機１００の制御部７との間の通信が可能となり、ＩＣカードＣに対する抜取防止動作と所要の販売動作とが行われるように構成されている。
【００１５】
制御部７と各機能部とは、例えば図２に示したように設けられており、読み書き手段６を介して行われる制御部７とＩＣカードＣの図示しない制御部との通信により、カード挿入部３にＩＣカードＣが挿入されたことが確認されると、制御部７から出力される制御信号により先ずシャッタ５が下進してカード挿入部３の前面を閉じ、販売動作中にＩＣカードＣがカード挿入部３から不正に抜取されるのを防止する。
【００１６】
続いて、カード挿入部３に挿入されたＩＣカードＣの残高を制御部７において確認し、所要の残高があることが確認されたときには、その残高で購入可能な商品が陳列されている商品棚８の図示しない販可ランプを点灯し、販可ランプが点灯している商品の販売を行うように構成されている。
【００１７】
すなわち、前面パネル１の右側部分１Ａの左側に配置されている透明部分１Ｂの背面側には商品棚８が分割設置され、それぞれの商品棚８の前面には図示しない商品番号が表示され、所望の商品番号をテンキー９により入力し、さらに購入ボタンスイッチ１０を押して所望の商品を購入するように構成されている。
【００１８】
そして、商品棚８の前方には、下レール１１Ａ、上レール１１Ｂ、竪レール１１Ｃ、横走手段１１Ｄ、昇降手段１１Ｅ、商品篭１１Ｆからなる商品搬送手段１１が設けられ、紙幣投入口２Ａ、硬貨投入口２Ｂの何れかに正規の貨幣が投入されるか、カード挿入部３に正規の非接触型のＩＣカードＣが挿入された状態で、所望の商品番号がテンキー９により入力され、さらに購入ボタンスイッチ１０が押されると、制御部７が出力する制御信号により横走手段１１Ｄが起動して竪レール１１Ｃが左右方向に移動し、昇降手段１１Ｅが上下方向に移動してテンキー９で指定した商品が陳列されている商品棚８の前まで商品篭１１Ｆが搬送され、その商品棚８の背面側に設けられている図示しない押進手段が前進して商品棚８の最前列にある商品を１個だけ商品篭１１Ｆに落とし込み、購入商品の入った商品篭１１Ｆを商品販売口１２まで搬送して販売するように構成されている。
【００１９】
また、購入商品の入った商品篭１１Ｆを商品販売口１２まで搬送して販売動作が完了したとき、あるいは販売動作が完了すると共に、カード返却要求ボタンスイッチ１３が押されたときには、制御部７が出力する制御信号により読み書き手段６を起動してカード挿入部３に挿入されているＩＣカードＣの残高を、販売した商品の代金分だけ減額した金額に書き換え、その後にシャッタ５を上進させてカード挿入部３の前面を開放し、ＩＣカードＣの返却が行われる。
【００２０】
すなわち、マイコンなどを備えて構成される制御部７の図示しないメモリー部には所要の制御プログラムが格納されていて、カード挿入部３にＩＣカードＣが挿入され、読み書き手段６によりその存在が確認されると、図３に示したようにシャッタ５は開閉されて商品の販売動作と、ＩＣカードＣの返却とが行われる。
【００２１】
なお、図３において、▲１▼の列は一つの商品の販売が完了するとＩＣカードＣを返却するときの制御例であり、▲２▼の列は繰り返し販売を可能とするときの制御例であり、スイッチなどによる選択が可能な構成とされている。
【００２２】
ＩＣカードＣが挿入・保持される部分は、図４に示したように構成することも可能である。すなわち、カード挿入部３の上部に通路３Ｘを介してカード挿入部３と連通するカード挿入口３Ａを設け、カード挿入部３の下部に通路３Ｙを介してカード挿入部３と連通するカード返却口３Ｂを設けると共に、通路３Ｘを開閉するシャッタ５Ａと、通路３Ｙを開閉するシャッタ５Ｂとを設ける。
【００２３】
そして、制御部７により、通路３Ｘはシャッタ５Ａにより通常開とし、通路３Ｙはシャッタ５Ｂにより通常閉とすると共に、シャッタ５ＡはＩＣカードＣがカード挿入口３Ａから挿入され、カード挿入部３に保持されたときには通路３Ｘを閉じ、販売動作が完了したとき、或いは販売動作が完了すると共に、カード返却要求ボタンスイッチ１３が操作されたときには、シャッタ５Ｂが通路３Ｙを開としてＩＣカードＣをカード挿入部３からカード返却口３Ｂに落として、カード返却口３ＢにおいてＩＣカードＣの返却を行うように構成すること可能である。
【００２４】
さらに、図５に示したように、カードを出し入れするカード出入口３Ｃの奥に設けるカード挿入部３を、非接触型のＩＣカードＣに対する読み書き手段６が併設された第１のカード挿入部３Ｄと、磁気記録式の図示しない接触型カード用の読み書き手段６Ｘが併設された第２のカード挿入部３Ｅの２箇所に分割する。
【００２５】
また、カード出入口３Ｃの近傍には、カードが挿入されたことを検出するための適宜のカード検出センサを設けると共に、カード出入口３Ｃに挿入されたカードを第１のカード挿入部３Ｄ、さらにその奥に設けられている第２のカード挿入部３Ｅまでベルト機構などを利用して搬送し、且つ、カード出入口３Ｃまで戻すことのできる図示しないカード搬送手段を設ける。
【００２６】
そして、カード出入口３Ｃに挿入されたカードは先ず第１のカード挿入部３Ｄまで搬送し、そこで読み書き手段６により非接触型のＩＣカードＣであるか否かを判定し、ＩＣカードＣであればそのまま読み書き手段６を介して販売動作を行い、ＩＣカードＣでないときにはさらに奥の第２のカード挿入部３Ｅまで搬送して読み書き手段６Ｘを介して販売動作を行うように構成することも可能である。
【００２７】
カード挿入部３を図５のように構成するときには、カード出入口３Ｃが通常は狭いスリット状に形成されているので、カード挿入部３に挿入されているカードが販売動作中に抜取される恐れは少ない。しかし、この構成とする場合も、カード出入口３Ｃとカード挿入部３との間に、カードが挿入されたときに制御部７により閉動作されるシャッタ５Ｃを設けることは、販売動作中のカードの不正抜取を防止する上で有効な手段となる。
【００２８】
なお、第１のカード挿入部３Ｄと第２のカード挿入部３Ｅとは並列に設け、カード出入口３Ｃから挿入されたカードの種別をカード出入口３Ｃの近傍において判別し、非接触型のＩＣカードＣが挿入されたときには第１のカード挿入部３Ｄに搬送して販売動作を行い、接触型のカードが挿入されたときには第２のカード挿入部３Ｅに搬送して販売動作を行うように構成することも可能である。
【００２９】
また、カード挿入部３は第１のカード挿入部３Ｄと第２のカード挿入部３Ｅと云うようには分割せず、カード挿入部３の一方の側にＩＣカードＣ用の読み書き手段６、他方の側に接触型カード用の読み書き手段６Ｘを設置し、カード出入口３Ｃに接触型、非接触型何れのタイプのカードが挿入されても、一箇所のカード挿入部３に搬送するだけ販売動作が行えるように構成することも可能である。
【００３０】
上記したように、本発明の自動販売機１００においては、販売動作中はカードを抜取することができない構造になっているので、コンビニエンスストアなどで最近使用することが多くなっている非接触型のＩＣカードＣを、商品販売における決済手段としても、販売動作中に不正に抜取されることがない。
【００３１】
なお、本発明は上記実施形態に限定されるものではないので、特許請求の範囲に記載の趣旨から逸脱しない範囲で各種の変形実施が可能である。
【００３２】
例えば、自動販売機１００としては、商品搬送手段１０を備えず、商品を単に商品販売口まで落下させて販売するタイプの自動販売機であっても良い。
【００３３】
【発明の効果】
上記したように、本発明の自動販売機によれば、代金決済に使用する非接触型カードが、代金の決済処理がなされる前に不正に抜取されることがない。
【図面の簡単な説明】
【図１】本発明の自動販売機の説明図である。
【図２】本発明の自動販売機の制御系を示すブロック図である。
【図３】本発明の自動販売機における商品販売時のフローを示す説明図である。
【図４】本発明の他の実施形態を示す説明図である。
【図５】本発明の他の実施形態を示す説明図である。
【符号の説明】
１　前面パネル
２Ａ　紙幣投入口
２Ｂ　硬貨投入口
３　カード挿入部
３Ａ　カード挿入口
３Ｂ　カード返却口
３Ｃ　カード出入口
３Ｄ　第１のカード挿入部
３Ｅ　第２のカード返却部
３Ｘ、３Ｙ　通路
４　表示部
５、５Ａ、５Ｂ、５Ｃ　シャッタ
６　読み書き手段
６Ｘ　読み書き手段
７　制御部
８　商品棚
９　テンキー
１０　購入ボタンスイッチ
１１　商品搬送手段
１１Ａ　下レール
１１Ｂ　上レール
１１Ｃ　竪レール
１１Ｄ　横走手段
１１Ｅ　昇降手段
１１Ｆ　商品篭
１２　商品販売口
１３　カード返却要求ボタンスイッチ
１００　自動販売機
Ｃ　ＩＣカード
【図１】
2004102361.tif 000003
【図２】
2004102361.tif 000004
【図３】
2004102361.tif 000005
【図４】
2004102361.tif 000006
【図５】
2004102361.tif 000007